(57)【特許請求の範囲】
【請求項１】
左右開閉自在に設けられた３枚の引戸（20）（20）（20）を備え、最奥位置かつ左右一方側に配設される最奥引戸（20Ａ）と中間引戸（20Ｂ）と最手前位置かつ左右他方側に配設される最手前引戸（20Ｃ）とが差動開閉連動手段（８）にて連結され、上記３枚の引戸（20）（20）（20）をロックする引き違い戸ロック装置に於て、
上記最奥引戸（20Ａ）に設けられる錠前部材（３）と、上記最奥引戸（20Ａ）に設けられ上記錠前部材（３）の施錠・開錠操作によって昇降する連結部材（５）と、上記最奥引戸（20Ａ）に設けられ前後方向の水平軸心（Ｌ１）廻りに揺動自在に中間部が枢着されると共に上記連結部材（５）の下端部（５ｂ）に基端部（６ａ）が連結され上記連結部材（５）の昇降に対応してシーソー作動して先端部（６ｂ）が上下方向に揺動する帯板状のロックバー（６）と、を備え、
上記ロックバー（６）の先端部（６ｂ）は、上記最奥引戸（20Ａ）の左右他方側の側面（22）よりも左右他方側に配設され、上記中間引戸（20Ｂ）の左右一方側の側縁部（26）に向かって平面視Ｌ字状に折曲げ形成され、
さらに、上記ロックバー（６）の先端部（６ｂ）が上記シーソー作動にて係脱自在な切欠部（７）を上記中間引戸（20Ｂ）の上記左右一方側の側縁部（26）に設け、
上記切欠部（７）は、上記ロックバー（６）の先端部（６ｂ）が差し込まれた係止状態で、上記最奥引戸（20Ａ）が上記中間引戸（20Ｂ）側へ移動するのを上記ロックバー（６）の先端部（６ｂ）に当接して阻止すると共に上記中間引戸（20Ｂ）が上記最奥引戸（20Ａ）側へ移動するのを上記ロックバー（６）の先端部（６ｂ）に当接して阻止する鉛直状ストッパ縁部（71）を有していることを特徴とする引き違い戸ロック装置。
【請求項２】
左右開閉自在に設けられた２枚の引戸（20）（20）を備え、奥位置かつ左右一方側に配設される奥側引戸（20Ｘ）と、手前位置かつ左右他方側に配設される手前側引戸（20Ｙ）と、をロックする引き違い戸ロック装置に於て、
上記奥側引戸（20Ｘ）に設けられる錠前部材（３）と、該奥側引戸（20Ｘ）に設けられ上記錠前部材（３）の施錠・開錠操作によって昇降する連結部材（５）と、上記奥側引戸（20Ｘ）に設けられ前後方向の水平軸心（Ｌ１）廻りに揺動自在に中間部が枢着されると共に上記連結部材（５）の下端部（５ｂ）に基端部（６ａ）が連結され上記連結部材（５）の昇降に対応してシーソー作動して先端部（６ｂ）が上下方向に揺動する帯板状のロックバー（６）と、を備え、
上記ロックバー（６）の先端部（６ｂ）は、上記奥側引戸（20Ｘ）の左右他方側の側面（92）よりも左右他方側に配設され、上記手前側引戸（20Ｙ）の左右一方側の側縁部（96）に向かって平面視Ｌ字状に折曲げ形成され、
さらに、上記ロックバー（６）の先端部（６ｂ）が上記シーソー作動にて係脱自在な切欠部（７）を手前側引戸（20Ｙ）の上記左右一方側の側縁部（96）に設け、
上記切欠部（７）は、上記ロックバー（６）の先端部（６ｂ）が差し込まれた係止状態で、上記奥側引戸（20Ｘ）が開く方向へ移動するのを上記ロックバー（６）の先端部（６ｂ）に当接して阻止すると共に上記手前側引戸（20Ｙ）が開く方向へ移動するのを上記ロックバー（６）の先端部（６ｂ）に当接して阻止する鉛直状ストッパ縁部（71）を有していることを特徴とする引き違い戸ロック装置。
【発明の詳細な説明】
【技術分野】
【０００１】
本発明は、引き違い戸ロック装置に関する。
【背景技術】
【０００２】
本棚や書類棚、ロッカー、キャビネット等の収納庫には、左右方向に開閉可能な２枚以上の引戸を備えている。このような引戸には、防犯や管理の目的で開きを阻止する引き違い戸ロック装置が設けられている。
例えば、３枚の引戸をロックする引き違い戸ロック装置は、最手前引戸と、中間引戸と、が連動するように設けられた差動開閉連動手段の動きを阻止することで、引戸をロック状態にしていた。
具体的には、最手前引戸に、シリンダー錠から成る錠前部材を背面側へ突出させて、錠前部材の施錠操作によって揺動する規制片を、差動開閉連動手段を構成する部材に当接させ、差動開閉連動手段の動きを阻止して、引戸をロック（施錠）していた（例えば、特許文献１参照）。
【先行技術文献】
【特許文献】
【０００３】
【特許文献１】特開２００９−２１５７４３号公報
【発明の概要】
【発明が解決しようとする課題】
【０００４】
しかし、錠前部材を最手前引戸に設けると、錠前部材の後方突出部位が、隣接する引戸の側縁部に当接するため、全開状態の有効開口寸法が狭いといった問題があった。
特に、差動開閉連動手段を備えた３枚の引戸の開閉をロックする場合は、錠前部材を差動開閉連動手段近傍に設けるため、差動開閉連動手段を構成する部材との干渉を避ける必要があり、構造が複雑になるといった問題もあった。
【０００５】
そこで、本発明は、引戸を全開させた状態で有効開口寸法を広く確保することが可能な引き違い戸ロック装置の提供を目的とする。
さらに、差動開閉連動手段を備えた３枚の引戸に対しては、有効開口寸法を広く確保することが可能であると共に、差動開閉連動手段との干渉を避け、簡素な構成で確実に施錠可能な引き違い戸ロック装置の提供を目的とする。
【課題を解決するための手段】
【０００６】
上記目的を達成するために、本発明の引き違い戸のロック装置は、左右開閉自在に設けられた３枚の引戸を備え、最奥位置かつ左右一方側に配設される最奥引戸と中間引戸と最手前位置かつ左右他方側に配設される最手前引戸とが差動開閉連動手段にて連結され、上記３枚の引戸をロックする引き違い戸ロック装置に於て、上記最奥引戸に設けられる錠前部材と、上記最奥引戸に設けられ上記錠前部材の施錠・開錠操作によって昇降する連結部材と、上記最奥引戸に設けられ前後方向の水平軸心廻りに揺動自在に中間部が枢着されると共に上記連結部材の下端部に基端部が連結され上記連結部材の昇降に対応してシーソー作動して先端部が上下方向に揺動する帯板状のロックバーと、を備え、上記ロックバーの先端部は、上記最奥引戸の左右他方側の側面よりも左右他方側に配設され、上記中間引戸の左右一方側の側縁部に向かって平面視Ｌ字状に折曲げ形成され、さらに、上記ロックバーの先端部が上記シーソー作動にて係脱自在な切欠部を上記中間引戸の上記左右一方側の側縁部に設け、上記切欠部は、上記ロックバーの先端部が差し込まれた係止状態で、上記最奥引戸が上記中間引戸側へ移動するのを上記ロックバーの先端部に当接して阻止すると共に上記中間引戸が上記最奥引戸側へ移動するのを上記ロックバーの先端部に当接して阻止する鉛直状ストッパ縁部を有しているものである。
【０００７】
また、左右開閉自在に設けられた２枚の引戸を備え、奥位置かつ左右一方側に配設される奥側引戸と、手前位置かつ左右他方側に配設される手前側引戸と、をロックする引き違い戸ロック装置に於て、上記奥側引戸に設けられる錠前部材と、該奥側引戸に設けられ上記錠前部材の施錠・開錠操作によって昇降する連結部材と、上記奥側引戸に設けられ前後方向の水平軸心廻りに揺動自在に中間部が枢着されると共に上記連結部材の下端部に基端部が連結され上記連結部材の昇降に対応してシーソー作動して先端部が上下方向に揺動する帯板状のロックバーと、を備え、上記ロックバーの先端部は、上記奥側引戸の左右他方側の側面よりも左右他方側に配設され、上記手前側引戸の左右一方側の側縁部に向かって平面視Ｌ字状に折曲げ形成され、さらに、上記ロックバーの先端部が上記シーソー作動にて係脱自在な切欠部を手前側引戸の上記左右一方側の側縁部に設け、上記切欠部は、上記ロックバーの先端部が差し込まれた係止状態で、上記奥側引戸が開く方向へ移動するのを上記ロックバーの先端部に当接して阻止すると共に上記手前側引戸が開く方向へ移動するのを上記ロックバーの先端部に当接して阻止する鉛直状ストッパ縁部を有しているものである。
【発明の効果】
【０００８】
本発明によれば、引戸を全開させた状態で有効開口寸法を大きく確保することができる。また、確実かつ強力に引戸を施錠でき、防犯性、管理性に優れている。構造が簡素で故障の虞が少なく耐久性を向上できる。
特に、差動開閉連動手段を備えた３枚の引戸においては、有効開口寸法を大きくできると共に、差動開閉連動手段との干渉を避け、簡素な構成で確実に施錠できる。
【図面の簡単な説明】
【０００９】
【図１】本発明の第１の実施の形態の正面斜視図である。
【図２】第１の実施の形態の要部背面図である。
【図３】第１の実施の形態の要部拡大背面図である。
【図４】第１の実施の形態の要部背面斜視図である。
【図５】ロックバーの上昇状態と降下状態を説明するための要部拡大背面図であり、（ａ）はロックバーの上昇状態を示す要部拡大背面図であり、（ｂ）はロックバーの降下状態を示す要部拡大背面図である。
【図６】第１の実施の形態と従来例の有効開口寸法を比較した作用説明図である。
【図７】第２の実施の形態の正面斜視図である。
【図８】第２の実施の形態の要部背面図である。
【図９】第２の実施の形態と他の従来例の有効開口寸法を比較した作用説明図である。
【発明を実施するための形態】
【００１０】
以下、図示の実施形態に基づき本発明を詳説する。
本発明に係る引き違い戸ロック装置は、図１乃至図６に示す第１の実施の形態に於て、前方開口状の箱型の筐体１の開口部に左右開閉自在に設けられた３枚の引戸20，20，20，を開操作不可能にロックするものである。
【００１１】
図１及び図２に於て、３枚の引戸20，20，20は、最奥位置に配設される最奥引戸20Ａと、最手前位置に配設される最手前引戸20Ｃと、前後方向（奥行き方向）において最奥引戸20Ａと最手前引戸20Ｃの間に配設される中間引戸20Ｂと、から成る。
そして、最奥引戸20Ａと中間引戸20Ｂと最手前引戸20Ｃが差動開閉連動手段８にて連動・連結されている。
【００１２】
最奥引戸20Ａの筐体１側面側の側縁部24に、錠前シリンダー等の錠前部材３を設けている。ここで、最奥引戸20Ａの筐体１側面側を一方と呼び、最手前引戸20Ｃの筐体１側面側を、他方と呼ぶ場合がある。
【００１３】
また、図２乃至図４に於て、最奥引戸20Ａの一方の側縁部24かつ裏面（背面）側に、錠前部材３の後方突出部位に上端部５ａが連結され、その錠前部材３の施錠・開錠操作によって昇降する帯板状の連結部材５を垂設している。
【００１４】
また、最奥引戸20Ａの裏面側に中間部が前後方向の水平軸心Ｌ１廻りに揺動自在に枢着されると共に、連結部材５の下端部５ｂに基端部６ａが連結（枢着）される帯板状のロックバー６を設けている。
ロックバー６は、連結部材５の昇降によって下端部５ｂが昇降し、シーソー作動により先端部６ｂが下端部５ｂ（基端部６ａ）と反対の上下方向に揺動する。
ロックバー６の先端部６ｂは、最奥引戸20Ａの中間引戸20Ｂ側の側面22（最奥引戸20Ａの他方の側面22）よりも他方に突出して設けている。さらに、先端部６ｂは、この先端突出部を前方（中間引戸20Ｂの最奥引戸20Ａ側の側縁部26）へ向かって平面視Ｌ字状に折り曲げ形成されている。
【００１５】
また、中間引戸20Ｂの最奥引戸20Ａ側の側縁部26（中間引戸20Ｂの一方の側縁部26）に、ロックバー６の先端部６ｂがシーソー作動にて係脱自在な切欠部７を設けている。
図３に於て、切欠部７は、下位置状態の先端部６ｂの上方位置に形成されている。
図４に於て、切欠部７は、上位置状態の先端部６ｂが差し込まれた係止状態で、最奥引戸20Ａが開く方向に（中間引戸20Ｂ側へ）移動するのを、先端部６ｂに当接して阻止すると共に、中間引戸20Ｂが開く方向に（最奥引戸20Ａ側へ）移動するのを先端部６ｂに当接して阻止する鉛直状ストッパ縁部（鉛直面状のストッパ面）71を有している。
【００１６】
図５に於て、連結部材５は、上端部５ａに、錠前部材３の後方突出部位に設けられた突出子31が差し込まれる連結切欠部51を有している。
錠前部材３の開錠状態は、図５（ａ）に示すように、突出子31が上位置に配設され連結切欠部51を介して、連結部材５を上昇状態（上位置）に維持するように構成されている。
錠前部材３の施錠状態は、図５（ｂ）に示すように、突出子31が下位置に移動することで、連結部材５も降下し、連結部材５が降下状態（下位置）に維持されるように構成されている。
【００１７】
図２に於て、差動開閉連動手段８は、中間引戸20Ｂの最手前引戸20Ｃ側の側縁部27（中間引戸20Ｂの他方の側縁部27）に設けられた上下方向のガイド溝80と、ガイド溝80に上下方向スライド自在に設けられたスライド部材83と、一端部81ａが最奥引戸20Ａの中間引戸20Ｂ側の側縁部25（最奥引戸20Ａの他方の側縁部25）に枢着され他端部81ｂがスライド部材83に枢着された帯板状の第１連動部材81と、一端部82ａがスライド部材83に枢着され他端部82ｂが最手前引戸20Ｃの筐体１側面側の側縁部29（最手前引戸20Ｃの他方の側縁部29）に枢着された帯板状の第２連動部材82と、を備え、第１連動部材81と第２連動部材82が背面視（正面視）倒立Ｖ字型に配設され、最奥引戸20Ａ又は最手前引戸20Ｃの開閉動作に連動して中間引戸20Ｂが開閉するように構成されている。第１連動部材81の一端部81ａはロックバー６の先端部６ｂよりも後方寄り（奥側）に枢設されている。
【００１８】
次に、本発明の引き違い戸のロック装置の第１の実施の形態の使用方法（作用）について説明する。
図２及び図３に示すように、錠前部材３の開錠状態では、連結部材５が上昇状態で保持され、ロックバー６の基端部６ａが連結部材５によって持ち上げられて上位置となり、水平軸心Ｌ１廻りのシーソー作動により先端部６ｂが下位置となる。
ロックバー６の先端部６ｂは、切欠部７から離脱状態であり、最奥引戸20Ａ及び中間引戸20Ｂの開方向の移動がロックバー６とストッパ縁部71との接触によって規制されず、最奥引戸20Ａ又は最手前引戸20Ｃの引き操作によって開口が可能な開口自由状態となる。
【００１９】
ここで、図６（ａ）に示す従来例は、最手前引戸20Ｃ´に錠前部材３´を設けていた。そのため、錠前部材３´の後方突出部位（又は、その保護カバー）が他の引戸20´（20Ｂ´）に当接して引戸20´をそれ以上広く開くことはできなかった。
しかし、図６（ｂ）に示すように、第１の実施の形態は、最奥引戸20Ａに錠前部材３を設けているため、他の引戸20（20Ｂ，20Ｃ）に錠前部材３の後方突出部位が干渉せず、従来例の全開状態の有効開口寸法Ｊ１と比較して広い有効開口寸法Ｄ１が得られる。
【００２０】
また、錠前部材３の施錠状態では、連結部材５が下降状態で保持され、ロックバー６の基端部６ａが連結部材５によって押し下げられて下位置となり、図４に示すように、シーソー作動により先端部６ｂが上位置となって、切欠部７に差し込まれる。
【００２１】
ロックバー６の先端部６ｂが切欠部７に差し込まれた状態で、最奥引戸20Ａ又は最手前引戸20Ｃを開操作すると、先端部６ｂとストッパ縁部71が相互に当接して、最奥引戸20Ａ及び中間引戸20Ｂの開方向に移動が阻止される。
最奥引戸20Ａ及び中間引戸20Ｂの開方向の移動が阻止されることで、差動開閉連動手段８により最手前引戸20Ｃの開方向の移動も阻止され、３枚の引戸20，20，20（20Ａ，20Ｂ，20Ｃ）の開方向の移動が不可能な（閉状態が保持された）ロック状態となる。
【００２２】
次に本発明の第２の実施の形態について説明する。
図７及び図８に於て、筐体１の開口部に設けられる２枚の引戸20，20をロックするためのものである。
２枚の引戸20，20は、奥位置に配設される奥側引戸20Ｘと、手前位置に配設される手前側引戸20Ｙと、から成る。
【００２３】
奥側引戸20Ｘの筐体１側面側の側縁部94に、錠前シリンダー等の錠前部材３を設けている。ここで、奥側引戸20Ｘの筐体１側面側を一方と呼び、手前側引戸20Ｙの筐体１側面側を、他方と呼ぶ場合がある。
【００２４】
そして、奥側引戸20Ｘの裏面側に、第１の実施の形態と同様に、連結部材５と、ロックバー６を設けている。
ロックバー６の先端部６ｂは、奥側引戸20Ｘの他方側の側面92よりも他方に突出して設け、さらに、この先端突出部を前方（手前側引戸20Ｙの一方側の側縁部96）へ向かって折り曲げている。
【００２５】
また、手前側引戸20Ｙの一方側の側縁部96に、第１の実施の形態と同様に、切欠部７を設けている。
切欠部７は、上位置状態のロックバー６の先端部６ｂが差し込まれた係止状態で、奥側引戸20Ｘが開く方向に移動するのを、先端部６ｂに当接して阻止すると共に、手前側引戸20Ｙが開く方向に移動するのを先端部６ｂに当接して阻止する鉛直状ストッパ縁部71を有している。
【００２６】
次に、本発明の引き違い戸のロック装置の第２の実施の形態の使用方法（作用）について説明する。
図９（ａ）に示す従来例は、手前側引戸20Ｙ´に錠前部材３´を設けている。そのため、錠前部材３´の後方突出部位が奥側引戸20Ｘ´に干渉して引戸20´をそれ以上広く開くことはできなかった。
しかし、図９（ｂ）に示すように、第２の実施の形態は、奥側引戸20Ｘに錠前部材３を設けているため、手前側引戸20Ｙに錠前部材３の後方突出部位が干渉せず、図９（ａ）に示した従来例の全開状態の有効開口寸法Ｊ２と比較して、第２の実施形態は広い有効開口寸法Ｄ２が得られる。
錠前部材３と連結部材５とロックバー６と切欠部７の構成は第１の実施形態と同様であり、同様の作用（動作）が得られる。
【００２７】
なお、本発明は、設計変更可能であって、連結部材５及びロックバー６の長さ寸法は自由である。したがって、錠前部材３を、最奥引戸20Ａの左右中間部、下端部、上端部に設けても良い。なお、図４に於て第１連動部材81を２点鎖線で図示している。
【００２８】
以上のように、本発明の引き違い戸ロック装置は、左右開閉自在に設けられた３枚の引戸20，20，20を備え、最奥位置に配設される最奥引戸20Ａと中間引戸20Ｂと最手前位置に配設される最手前引戸20Ｃとが差動開閉連動手段８にて連結され、３枚の引戸20，20，20をロックする引き違い戸ロック装置に於て、最奥引戸20Ａに設けられる錠前部材３と、最奥引戸20Ａに設けられ錠前部材３の施錠・開錠操作によって昇降する連結部材５と、最奥引戸20Ａに設けられ前後方向の水平軸心Ｌ１廻りに揺動自在に中間部が枢着されると共に連結部材５の下端部５ｂに基端部６ａが連結され連結部材５の昇降に対応してシーソー作動して先端部６ｂが上下方向に揺動するロックバー６と、を備え、さらに、ロックバー６の先端部６ｂがシーソー作動にて係脱自在な切欠部７を中間引戸20Ｂの最奥引戸20Ａ側の側縁部26に設けたので、３枚の引戸20，20，20を全開させた状態で有効開口寸法Ｄ１を広く確保することができる。また、強い力で確実に引戸20を施錠でき、防犯性、管理性に優れた書棚やロッカー、キャビネット等の収納庫を得ることができる。差動開閉連動手段８との干渉が容易に避けられ、簡素な構成で確実に施錠できる。例えば、差動開閉連動手段８の動きを阻止することでロック状態とする場合に比べて、錠前部材３を差動開閉連動手段８の近傍配設する必要がなく、錠前部材３の配置が比較的自由に決定でき、使用者の要望にあった収納庫を製作することができる。構造が簡素で故障が少なく耐久性を向上できる。
【００２９】
また、左右開閉自在に設けられた２枚の引戸20，20をロックする引き違い戸ロック装置に於て、奥側引戸20Ｘに設けられる錠前部材３と、該奥側引戸20Ｘに設けられ錠前部材３の施錠・開錠操作によって昇降する連結部材５と、奥側引戸20Ｘに設けられ前後方向の水平軸心Ｌ１廻りに揺動自在に中間部が枢着されると共に上記連結部材５の下端部５ｂに基端部６ａが連結され上記連結部材５の昇降に対応してシーソー作動して先端部６ｂが上下方向に揺動するロックバー６と、を備え、さらに、ロックバー６の先端部６ｂがシーソー作動にて係脱自在な切欠部７を手前側引戸20Ｙの奥側引戸20Ｘ側の側縁部96に設けたので、２枚の引戸20，20を全開させた状態で有効開口寸法Ｄ２を広く確保することができる。また、強い力で確実に引戸20を施錠でき、防犯性、管理性に優れた書棚やロッカー、キャビネット等の収納庫を得ることができる。錠前部材３の配置が比較的自由に決定でき、使用者の要望にあった収納庫を製作することができる。構造が簡素で故障が少なく耐久性を向上できる。
【符号の説明】
【００３０】
３  錠前部材
５  連結部材
５ｂ  下端部
６  ロックバー
６ａ  基端部
６ｂ  先端部
７  切欠部
８  差動開閉連動手段
20  引戸
20Ａ  最奥引戸
20Ｂ  中間引戸
20Ｃ  最手前引戸
20Ｘ  奥側引戸
20Ｙ  手前側引戸
26  側縁部
71 鉛直状ストッパ縁部
96  側縁部
Ｌ１  水平軸心
【図１】
0005531028.tif 000002
【図２】
0005531028.tif 000003
【図３】
0005531028.tif 000004
【図４】
0005531028.tif 000005
【図５】
0005531028.tif 000006
【図６】
0005531028.tif 000007
【図７】
0005531028.tif 000008
【図８】
0005531028.tif 000009
【図９】
0005531028.tif 000010